(57)【要約】【課題】テレビスタンドに吸気用または排気用の孔を空けることなく、アンプ装置を冷却できるようにする。【解決手段】テレビジョン受像機が設置されるテレビスタンド１００において、空冷ファン２９、吸気口２６及び排気口２７を備えたアンプ装置２０と、アンプ装置２０で増幅された音声信号を出力する少なくとも１つのスピーカとを備えた。そして、スピーカの放音部の前面を覆うグリルネット４を備え、アンプ装置２０の吸気口２６または排気口２７のうち少なくとも一方についても、グリルネット４の裏側に配置するようにした。【選択図】図３
2008131479.tif 000002
【特許請求の範囲】
【請求項１】
テレビジョン受像機が設置されるテレビスタンドにおいて、
空冷ファン、吸気口及び排気口を備え、前記テレビジョン受像機から入力された音声信号を増幅するアンプ装置と、
前記アンプ装置で増幅された音声信号を出力する少なくとも１つのスピーカと、
前記スピーカの放音部の前面と、前記アンプ装置の吸気口または排気口のうちの少なくとも一方とを覆うグリルネットとを備えたことを特徴とする
テレビスタンド。
【請求項２】
請求項１記載のテレビスタンドにおいて、
前記アンプ装置の吸気口または排気口のうち少なくとも一方と、前記スピーカの放音部とは、同一の面上に配置されることを特徴とする
テレビスタンド。
【請求項３】
請求項１記載のテレビスタンドにおいて、
前記アンプ装置の吸気口のうち少なくとも一方と、前記スピーカの放音部が配置されたスピーカ放音部配置面との間をつなぐダクトを備え、
前記アンプ装置の吸気または排気は、前記ダクトを通して行われることを特徴とする
テレビスタンド。
【発明の詳細な説明】
【技術分野】
【０００１】
本発明は、スピーカシステム及びアンプ装置が内蔵されたテレビスタンドに関する。
【背景技術】
【０００２】
近年、テレビジョン受像機を設置可能なテレビスタンドにおいて、テレビジョン受像機から入力される音声を増幅するアンプ装置や、アンプ装置で増幅された音声を出力するスピーカを内蔵したものが増えてきている。このようなテレビスタンドでは、アンプ装置とスピーカを内蔵しているため、音声出力に伴ってテレビスタンド内で発生する熱を放熱する必要がある。放熱を行う手法としては、アンプ装置の収納部に、放熱を行うための十分なスペースを設ける手法や、テレビスタンドの天面または側面に放熱用の孔を空ける手法、音声出力自体を少なめに設計する手法や、空冷ファン等を用いて強制空冷を行う手法等が知られている。
【０００３】
特許文献１には、放熱用の孔を備えた増幅器内蔵のスピーカ装置についての記載がある。
【特許文献１】特開平１０−１６４６８４号公報
【発明の開示】
【発明が解決しようとする課題】
【０００４】
ところで、テレビスタンドはリビングルーム等に設置する特性上、インテリアとしてのデザイン性や、省スペース性が求められるものでもある。ところが、アンプ装置から放出された熱を放熱するために十分なスペースを設けるとなると、テレビスタンド自体が大型化してしまうという問題があった。また、空冷ファンによる強制空冷を行う場合には、吸気口や排気口の配置によっては、意匠を著しく損なってしまう可能性があった。
【０００５】
図９に、従来のアンプ・スピーカ内蔵型のテレビスタンド２００の構成例を示してある。図９（ａ）はテレビスタンド２００を正面から見た図であり、図９（ｂ）は背面から見た図である。図９（ａ）において、テレビスタンドは、テレビジョン受像機（図示略）が設置される天板部２０１と、天板部２０１を支持する脚部２０２ａ及び２０２ｂを備えており、向かって左側の脚部である脚部２０２ａの中にアンプ装置が収納されている。
【０００６】
図９（ｂ）は、テレビスタンド２００を背面から見た図であり、アンプ装置２１０が収納された部分を表示してある。図９（ｂ）では説明を分かりやすくするため、テレビスタンド２００の背面に取り付けられた板等は外した状態を示してある。図９（ｂ）において、向かって右側に縦長の形状のアンプ装置２１０が配置してあり、その上方の天板部２０１付近に、アンプ装置２１０冷却用の空冷ファン２２０が設けられている。そして、この空冷ファン２２０により、図９（ｂ）中で矢印として示された方向に空気が吸気及び排気される。
【０００７】
このように、後面吸気・後面排気を行う構成とする場合には、放熱のためのスペースが十分に空いていないと、排気により温度上昇した外気を吸気口から再吸入してしまう可能性が高くなる。空冷ファン２２０が温度の高い外気を再吸入してしまった場合には、アンプ装置２１０の冷却効率が落ちてしまい、テレビスタンド２００内の温度がさらに上昇してしまうという悪循環に陥ってしまう。
【０００８】
このため、図９（ｂ）に示されたテレビスタンド２００では、アンプ装置２１０から発生した熱を放熱するためのスペースを広く確保した構造としてある。ところが、このように放熱のためのスペースを広く取った場合には、アンプ装置２１０の収納部が大型化してしまうという問題があった。
【０００９】
この場合、放熱のためのスペースを広く確保する代わりに、空冷ファン２２０を大型化することでもアンプ装置２１０の冷却効率を上げることが可能となるが、空冷ファン２２０を大きくすると、製造コストが高くなってしまうという問題があった。
【００１０】
アンプ装置２１０を冷却する手法としては、この他に、テレビスタンド２００の内部から外気を吸入して後部等へ排気する手法もとられている。ところがこの場合は、テレビスタンド２００内に収納された他の装置が発する熱の影響を受けてしまう。つまり、他の装置が発する熱により温められた空気を、空冷ファン２２０が吸入してしまう可能性が出てきてしまう。温度がなるべく低い空気を取り入れるためには、吸気口をテレビスタンド２００の外側に設ける必要がある。ところが、放熱用の孔をテレビスタンド２００の外側に設けると、テレビスタンド２００の意匠が損なわれてしまうという問題があった。
【００１１】
また、放熱用の孔がテレビスタンド２００の外側に設けられた場合には、意匠が損なわれるだけでなく、孔から異物や埃が混入してしまう可能性が生じてしまう。異物や埃のテレビスタンド２００内への混入は、テレビスタンド２００内に内蔵された各種装置の故障の原因にもなりかねず、好ましいとはいえなかった。さらに、テレビスタンド２００の天面部等に孔が開けられた場合には、その孔を塞がないようにユーザが注意を払う必要が生じてしまい、煩わしさを生むばかりでなく、実際にユーザが孔を塞いでしまう危険性を回避できないという問題があった。
【００１２】
このとき、放熱用に設けた孔から異物や埃が混入することを避けるために、防塵用のネット等を設けたり、意匠上の問題で孔を隠すために隠蔽用の部材を設ける等の手法も採られることがあるが、この場合は、それらの部品にかかるコストが新たに発生してしまうという問題があった。
【００１３】
本発明はかかる点に鑑みてなされたものであり、テレビスタンドの意匠を損なうことなく、アンプ装置を効率的に冷却できるようにすることを目的とする。
【課題を解決するための手段】
【００１４】
本発明は、テレビジョン受像機が設置されるテレビスタンドにおいて、空冷ファンと吸気口及び排気口を備えたアンプ装置と、アンプ装置で増幅された音声信号を出力する少なくとも１つのスピーカとを備えた。そして、スピーカの放音部の前面と、アンプ装置の吸気口または排気口のうちの少なくとも一方とを覆うグリルネットを備えた。
【００１５】
このようにしたことで、グリルネットを通して比較的温度の低い外気をアンプ装置収納部分に取り込むことが出来るようになり、アンプ装置の冷却効率を高めることが可能となる。
【発明の効果】
【００１６】
本発明によると、放熱用の孔をテレビスタンドの外側部分に設けることなく、また、放熱用のスペースを広く取ることもなく、アンプ装置の冷却を効率的に行えるようになる。そして、テレビスタンドのデザイン的には、スピーカ用のグリルネットだけが配置された状態となり、放熱用の孔が独立して存在した状態ではなくなり、前面などの適正な位置に配置した放熱用の孔を良好に目立たなくすることができる。
【発明を実施するための最良の形態】
【００１７】
以下、本発明の一実施の形態を、図１〜図６を参照して説明する。本実施の形態は、テレビジョン受像機の音声を増幅するアンプ装置や、５．１ｃｈサラウンド対応のスピーカユニットを内蔵して、テレビジョン受像機を上部に載置するテレビスタンドに適用したものである。
【００１８】
図１は、本例におけるテレビスタンド１００の構成例を示す斜視図であり、図２は正面図である。図１及び図２（ａ）は、スピーカユニットへの埃等の混入を防ぐためのグリルネット４が、天板部１の前面に張られた状態を示してあり、図２（ｂ）はグリルネット４を外した状態を示してある。図１及び図２（ａ）、図２（ｂ）に示されたテレビスタンド１００は、テレビジョン受像機等が設置される天板部１と、天板部１を支持する脚部２ａ及び２ｂ、そして脚部２ａと２ｂの間に渡された棚板部３とで構成してある。棚板部３の上には、ＤＶＤ（Digital Versatile Disk）等のオーディオ装置等を配置可能であり、配置したオーディオ装置から出力される音声を、天板部１の中に配置されたスピーカユニットから放音させることができる。天板部１の上には、後述する操作部３０を構成するスイッチなどが配置してある。
【００１９】
図２（ｂ）に示してあるように、天板部１の中には、テレビジョン受像機等から入力される音声信号を増幅するアンプ装置２０と、アンプ装置２０で増幅された音声信号を音声として出力するスピーカシステムとして、左から、左リアスピーカユニット１０ＳＬ、左前スピーカユニット１０ＦＬ、アンプ装置２０を挟んで中央前スピーカユニット１０ＦＣ、右前スピーカユニット１０ＦＲ、右リアスピーカユニット１０ＳＲを配置してある。各スピーカユニットの放音部はすべて、グリルネット４（図２（ａ）参照）が装着される面（グリルネット４の裏側）に配置してあり、グリルネット４が装着された図２（ａ）の状態では、外部の異物や埃等が各スピーカユニット内に混入しにくい構成としてある。グリルネット４の生地としては、サランネットやジャージー生地等の、通気性がよく防塵効果を有する生地を用いるものとする。或いは、金属板や樹脂板に、微小な透孔を連続して設けた構成のグリルネット、金属製の網で構成されたグリルネットなど、種々の構成のものが適用可能である。
【００２０】
本例においては、アンプ装置２０と各スピーカユニットが収納される天板部１内部の広さを、例えば高さ７０ｍｍ、奥行き３５０ｍｍとしてあり、このように狭い空間において、アンプ装置２０から放出される熱をテレビスタンド１００の外に逃がすために、空冷ファンを用いた強制空冷を行うようにしてある。そして、強制空冷のための吸気口２６を、グリルネット４が装着される面に配置するようにしてある。スピーカユニット及びアンプ装置２０の構成の詳細については後述する。
【００２１】
次に、アンプ装置２０の吸気口２６の配置の例について、図３を参照して説明する。図３は、本例のテレビスタンド１００を上方から見た図であり、天板部１内に設けられたスピーカユニットやアンプ装置２０は、破線で示してある。図３において、アンプ装置２０の吸気口２６は、左リアスピーカユニット１０ＳＬや左前スピーカユニット１０ＦＬの放音部が配置されている面（グリルネット４装着面）と同一の面に配置してある。そして吸気口２６は、グリルネット４を通して外気を吸入する。アンプ装置２０の放熱により温められた空気は、天板部１の奥行き方向の奥側の位置に設けられた空冷ファン２９により、排気口２７を通してテレビスタンド１００の外に排出される構成としてある。
【００２２】
このように、アンプ装置２０の吸気口２６を、スピーカユニット用の防塵部材であるグリルネット４のすぐ裏側に配置することで、テレビスタンド１００内に比べて比較的温度の低い室内の空気を、アンプ装置２０の収納部に取り込むことが可能となる。このため、アンプ装置２０の収納部内に放熱用のスペースを別途確保する必要がなくなり、テレビスタンド１００の小型化を図ることができる。
【００２３】
この場合、冷却のための吸気口用に、テレビスタンド１００の前面部分や天面部分に孔を空ける必要がなくなるため、意匠を損なわずにアンプ装置２０を冷却することが可能となる。
【００２４】
また、スピーカユニット用の防塵部材であるグリルネット４が、アンプ装置２０の吸気口２６の防塵フィルタとしての役割も兼ねているため、アンプ装置２０の吸気口２６用に新たに防塵用のフィルタを設ける必要がなくなり、製造コストを削減することが可能となる。
【００２５】
次に、本例のテレビスタンド１００の内部構成例について図４を参照して説明する。まず、天板部１上に設置されたテレビジョン受像機（図示略）や、棚板部３上に配置されたオーディオ装置等から出力された再生オーディオ信号が、信号源２１よりアンプ装置２０に供給される。信号源２１は、例えばテレビスタンド１００上に設置したテレビジョン受像機であり、そのテレビジョン受像機のオーディオ信号出力端子が、アンプ装置２０の入力端子に接続される。
【００２６】
アンプ装置２０は、高音域、中音域、低音域のそれぞれの帯域のトーン調整や、各スピーカユニットから出力させる音声信号の大きさのバランス調整等を行うプリアンプ２２ＦＣ〜２２ＳＲと、左リアスピーカユニット１０ＳＬから出力させる音声及び右リアスピーカユニット１０ＳＲから出力させる音声に仮想音像処理を施し、ユーザの後方の位置に定位させる音像処理回路２３ＳＬ及び２３ＳＲと、プリアンプ２２ＦＣ、２２ＦＬ、２２ＦＲまたは音像処理回路２３ＳＬ、音像処理回路２３ＳＲから出力される音声信号の増幅を行うアンプ２４ＦＣ〜２４ＳＲ及び、これら各部を制御する制御部２５とで構成される。制御部２５には、操作部３０が接続してあり、操作部３０を構成するスイッチの操作で、各種調整やオン・オフ操作などが可能である。本例での操作部３０は、図１に示すように天板部１の上面に設置してある。
【００２７】
アンプ装置２０内での信号の流れとしては、センタチャンネルのオーディオ信号がプリアンプ２２ＦＣに、左フロントチャンネルのオーディオ信号がプリアンプ２２ＦＬに、右フロントチャンネルのオーディオ信号がプリアンプ２２ＦＲに、左リアチャンネルのオーディオ信号がプリアンプ２２ＳＬに、右リアチャンネルのオーディオ信号がプリアンプ２２ＳＲに供給される。そして、プリアンプ２２ＦＣ、２２ＦＬ、２２ＦＲで増幅された各チャンネルのオーディオ信号は、アンプ２４ＦＣ、２４ＦＬ、２４ＦＲに供給され、スピーカ１０ＦＣ、１０ＦＬ、１０ＦＲから出力される。
【００２８】
また、左リアチャンネル用のプリアンプ２２ＳＬと右リアチャンネル用のプリアンプ２２ＳＲで増幅されたオーディオ信号は、それぞれ音像処理回路２３ＳＬ、２３ＳＲに供給され、音像処理回路２３ＳＬ、２３ＳＲで仮想音像処理を施される。音像処理回路２３ＳＬ、２３ＳＲから出力されたオーディオ信号は、それぞれアンプ２４ＳＬ、２４ＳＲに供給され、スピーカ１０ＳＬ、１０ＳＲより音声出力される。音像処理回路２３ＳＬ、２３ＳＲでの処理及び、アンプ２４ＦＣ〜２４ＳＲの増幅制御等は、制御部２５で行われる所定の演算、制御に基づいて行われる。
【００２９】
なお、上述した実施の形態では、アンプ装置２０の吸気口２６を、グリルネット４のすぐ裏側に設けた例を挙げたが、アンプ装置２０が天板部１の奥側に配置された場合など、アンプ装置２０の吸気口２６がグリルネット４のすぐ裏側に配置されていない場合にも適用可能である。アンプ装置２０が天板部１の奥側に配置された場合の例について、図５を参照して説明する。
【００３０】
図５も、図３と同様にテレビスタンド１００を上方から見た図であり、天板部１内に設けられたスピーカユニットやアンプ装置２０は、破線で示してある。図５において、アンプ装置２０は横長の形状をしており、左リアスピーカユニット１０ＳＬや左前スピーカユニット１０ＦＬ等のスピーカユニット群の後方に配置してある。このように、アンプ装置２０がグリルネット４の装着面から離れた位置に配置してあっても、アンプ装置２０の吸気口２６はグリルネット４を通して外気を吸入可能であり、アンプ装置２０を冷却する効果も、吸気口２６をグリルネット４のすぐ裏側に配置した場合と同様のものを期待できる。
【００３１】
また、図６に示されたように、アンプ装置２０の吸気口２６をグリルネット４の装着面の方向とは異なる方向に配置した場合であっても、アンプ装置２０の吸気口２６はグリルネット４を通して外気を吸入可能であり、吸気口２６をグリルネット４のすぐ裏側に配置した場合と同様の冷却効果を得ることができる。
【００３２】
さらに、図７に示されたように、アンプ装置２０の吸気口２６とグリルネット４の装着面とを、吸気用ダクト２８でつなぎ、グリルネット４の外の空気をアンプ装置２０の吸気口２６まで導く構成としてもよい。このようにすることで、アンプ装置２０の周辺に配置された吸音材等により、吸気口２６を通してアンプ装置２０内に吸入される空気の流れが妨害されることを防止する。
【００３３】
また、図８に示したように、アンプ装置２０の吸気口２６が、グリルネット４の装着面の方向とは異なる方向に配置してある場合にも、アンプ装置２０の吸気口２６とグリルネット４の装着面とを、吸気用ダクト２８でつなぎ、グリルネット４の外の空気をアンプ装置２０の吸気口２６まで導く構成としてもよい。
【００３４】
また、上述した実施の形態では、スピーカユニットの放音部がテレビスタンド１００の前面に配置してある例を挙げたが、スピーカユニットの放音部が、テレビスタンド１００の側面に配置してある場合にも適用可能である。この場合は、スピーカユニット防塵用のグリルネット４も側面に配置されるようになり、アンプ装置２０は、テレビスタンド１００の側面に装着されたグリルネット４を通った外気を、吸気口２６から装置内に吸入する構成とすればよい。
【００３５】
また、上述した実施の形態では、グリルネット４の装着面にアンプ装置２０の吸気口２６を配置し、排気口２７を天板部１の奥側（テレビスタンド１００の背面側）に設けた例を挙げたが、吸気口２６と排気口２７を逆に配置して、吸気と排気の関係を逆にした後面吸気・前面排気の構成に適用してもよい。
【００３６】
また、上述した実施の形態では、スピーカシステムとして、５．１ｃｈのサラウンド環境を実現可能なスピーカを用いた場合の例を挙げたが、右チャンネル用スピーカと左チャンネル用スピーカのみが内蔵された構成や、左右のチャンネルに加えて中央のチャンネルも加えた構成、低域音を出力するウーハ用スピーカのような１個のスピーカだけを配置する構成等にも適用可能である。
【００３７】
さらに、５．１ｃｈなどのサラウンド環境をシミュレートした構成として、スピーカユニットが４個の構成や、サブウーファを含めた６個の構成など、他の様々な構成にも適用可能である。５．１ｃｈ以外のチャンネル構成のサラウンド環境を実現する構成としてもよい。
【００３８】
また、上述した実施の形態では、テレビスタンド１００の構成として棚板部３を備え、オーディオ装置等の収納スペースを有する例に挙げたが、棚板部３を備えないテレビスタンド等、他の形状のテレビスタンドにも適用可能である。操作部３０についても、図１に示した天板部の上面以外の位置に配置するようにしてもよい。
【００３９】
また、上述した実施の形態では、テレビスタンド１００内のアンプ装置２０収納部分の大きさとして、高さ７０ｍｍ、奥行き３５０ｍｍのものを例に挙げて説明したが、アンプ装置２００の収納部の大きさは、例示した大きさに限定されるものではない。
【図面の簡単な説明】
【００４０】
【図１】本発明の一実施の形態によるテレビスタンドの構成例を示す斜視図である。
【図２】本発明の一実施の形態によるテレビスタンドの構成例を示す正面図及び背面図である。
【図３】本発明の一実施の形態によるアンプ装置の吸気口の配置の例を示す上面図である。
【図４】本発明の一実施の形態によるテレビスタンドの内部構成例を示すブロック図である。
【図５】本発明の他の形態によるアンプ装置の吸気口の配置の例を示す上面図である。
【図６】本発明の他の形態によるアンプ装置の吸気口の配置の例を示す上面図である。
【図７】本発明の他の形態によるアンプ装置の吸気口の配置の例を示す上面図である。
【図８】本発明の他の形態によるアンプ装置の吸気口の配置の例を示す上面図である。
【図９】従来のテレビスタンドの構成例を示す正面図及び背面図である。
【符号の説明】
【００４１】
１…オーディオ装置収納部、２…脚部、３…棚板部、４…グリルネット、１０ＦＣ…中央前スピーカユニット、１０ＦＬ…左前スピーカユニット、１０ＦＲ…右前スピーカユニット、１０ＳＬ…左リアスピーカユニット、１０ＳＲ…右リアスピーカユニット、２０…アンプ装置、２１…信号源、２２ＦＣ〜２２ＳＷ…プリアンプ、２３ＳＬ、２３ＳＲ…音像処理回路、２４ＦＣ〜２４ＳＲ…アンプ、２５…制御部、２６…吸気口、２７…排気口、２８…吸気用ダクト、２９…空冷ファン、３０…操作部、１００…テレビスタンド
【図１】
2008131479.tif 000003
【図２】
2008131479.tif 000004
【図３】
2008131479.tif 000005
【図４】
2008131479.tif 000006
【図５】
2008131479.tif 000007
【図６】
2008131479.tif 000008
【図７】
2008131479.tif 000009
【図８】
2008131479.tif 000010
【図９】
2008131479.tif 000011